(57)【要約】【解決手段】中仕切り部材Ｐが配設されていない運搬用容器Ｃに貼着された収容物品管理部材Ｔ３が、運搬用容器に配設される中仕切り部材により覆われるように構成されているとともに、中仕切り部材により形成される複数の小分け収容空間Ａ１、Ａ２に収容される物品を管理するための複数の収容物品管理部材Ｔ１、Ｔ２が、中仕切り部材に貼着されるように構成したものである。【効果】中仕切り部材を配設し、小分けされた運搬用容器の小分け収容空間に収容された、それぞれの物品の種類や物品の数量等を管理するために、収容物品管理部材と、中仕切り部材が配設されていない運搬用容器のフランジに貼着された収容物品管理部材とを読み違えるようなことを防止することができる。【選択図】図３
2010173653.tif 000002
【特許請求の範囲】
【請求項１】
中仕切り部材が配設されていない運搬用容器に貼着された収容物品管理部材が、前記運搬用容器に配設される中仕切り部材により覆われるように構成されているとともに、前記中仕切り部材により形成される複数の小分け収容空間に収容される物品を管理するための複数の収容物品管理部材が、前記中仕切り部材に貼着されるように構成されていることを特徴とする運搬用容器。
【請求項２】
前記中仕切り部材が、仕切り板と、水平板と垂直板とからなる係止部とにより構成されていることを特徴とする請求項１に記載の運搬用容器。
【請求項３】
前記運搬用容器のフランジ及び側壁に、前記中仕切り部材の係止部を構成する水平板と垂直板とが嵌合される凹部が形成されていることを特徴とする請求項１または請求項２に記載の運搬用容器。
【請求項４】
前記中仕切り部材が配設されていない運搬用容器に貼着された収容物品管理部材が、前記運搬用容器の側壁の内面に貼着されているとともに、前記中仕切り部材により形成される複数の小分け収容空間に収容される物品を管理するための複数の収容物品管理部材が、前記中仕切り部材の係止部を構成する水平板が省略された垂直板に貼着されていることを特徴とする請求項１に記載の運搬用容器。
【発明の詳細な説明】
【技術分野】
【０００１】
本発明は、種々の物品の収容、保管等に使用される運搬用容器に関するものであり、特に、運搬用容器内を小分けすることが可能な中仕切り部材を配設することが可能な運搬用容器に関するものである。
【背景技術】
【０００２】
従来、運搬用容器内を小分けするために、運搬用容器内に中仕切り部材を配設することができる運搬用容器が、一例として、特許文献１に開示されている。
【先行技術文献】
【特許文献】
【０００３】
【特許文献１】実開昭５４−９２８２１号公報
【発明の概要】
【発明が解決しようとする課題】
【０００４】
運搬用容器に収容されている物品の種類や物品の数量等の管理のために、運搬用容器のフランジの中央部等にバーコードやＩＣタグを貼着することが行われている。
【０００５】
また、運搬用容器内に中仕切り部材を配設して、運搬用容器内を小分けし、小分けされた各領域に、それぞれ、別の物品を収容することが行われており、この場合には、小分けされた各領域に収容された物品の種類や物品の数量等の管理のために、小分けされた領域毎に、それぞれ、バーコードやＩＣタグを貼着することになる。
【０００６】
しかしながら、中仕切り部材が配設された運搬用容器の場合には、小分けされた領域毎の物品の種類や物品の数量等の管理のためのバーコードやＩＣタグの他に、中仕切り部材を配設せずに使用されていた運搬用容器に収容されていた物品の種類や物品の数量等の管理のためのバーコードやＩＣタグが残存しており、従って、バーコードやＩＣタグの読み取りミスが発生するという問題があった。
【０００７】
不必要なバーコードやＩＣタグを取り外すことにより、バーコードやＩＣタグの読み取りミスの発生を防止することができるが、バーコードやＩＣタグの取り外し作業に時間と労力を要することになり、また、取り外されたバーコードやＩＣタグを、再度、使用したい場合には、新たに、バーコードやＩＣタグを配設しなければならず、更なる手間がかかることになる。
【０００８】
本発明の目的は、上述した従来の運搬用容器が有する課題を解決することにある。
【課題を解決するための手段】
【０００９】
本発明は、上述した目的を達成するために、第１には、中仕切り部材が配設されていない運搬用容器に貼着された収容物品管理部材が、運搬用容器に配設される中仕切り部材により覆われるように構成されているとともに、中仕切り部材により形成される複数の小分け収容空間に収容される物品を管理するための複数の収容物品管理部材が、中仕切り部材に貼着されるように構成したものであり、第２には、中仕切り部材を、仕切り板と、水平板と垂直板とからなる係止部とにより構成したものであり、第３には、運搬用容器のフランジ及び側壁に、中仕切り部材の係止部を構成する水平板と垂直板とが嵌合される凹部を形成したものであり、第４には、中仕切り部材が配設されていない運搬用容器に貼着された収容物品管理部材が、側壁の内面に貼着されているとともに、中仕切り部材により形成される複数の小分け収容空間に収容される物品を管理するための複数の収容物品管理部材を、係止部を構成する水平板が省略された中仕切り部材の垂直板に貼着したものである。
【発明の効果】
【００１０】
本発明は、中仕切り部材が配設されていない運搬用容器に貼着された収容物品管理部材が、運搬用容器に配設される中仕切り部材により覆われるように構成されているとともに、中仕切り部材により形成される複数の小分け収容空間に収容される物品を管理するための複数の収容物品管理部材が、中仕切り部材に貼着されるように構成したので、中仕切り部材を配設し、小分けされた運搬用容器の小分け収容空間に収容された、それぞれの物品の種類や物品の数量等を管理するために、収容物品管理部材と、中仕切り部材が配設されていない運搬用容器のフランジに貼着された収容物品管理部材とを読み違えるようなことを防止することができる。
【００１１】
また、中仕切り部材が配設されていない運搬用容器のフランジに貼着された収容物品管理部材は、中仕切り部材により覆われているので、収容物品管理部材を取り外す必要がないので、中仕切り部材を取り外して、再度、中仕切り部材が配設されていない運搬用容器として使用する場合にも、そのまま、収容物品管理部材が貼着された運搬用容器として使用することができるので、収容物品管理部材の取り外し作業や再度の収容物品管理部材の貼着作業を行う必要がないので、収容物品管理部材の取り外し作業や貼着作業に要する時間や労力を省略することができる。
【００１２】
中仕切り部材を、仕切り板と、水平板と垂直板とからなる係止部とにより構成したので、中仕切り部材の運搬用容器への配設作業を、迅速に、且つ、容易に行うことができる。
【００１３】
運搬用容器のフランジ及び側壁に、中仕切り部材の係止部を構成する水平板と垂直板とが嵌合される凹部を形成したので、中仕切り部材と運搬用容器のフランジとを面一にすることができ、従って、中仕切り部材が、運搬用容器の安定した段積みの障害となるようなことがなく、また、運搬用容器に配設された中仕切り部材を構成する垂直板が、側壁の内面から突出し、運搬用容器から、運搬用容器に収容された物品を取り出す際に、物品が、垂直板に引っ掛かり、物品の運搬用容器からの取り出し作業の障害になったり、或いは、物品が、垂直板に引っ掛かり、物品が損傷するようなことを防止することができる。また、中仕切り部材の係止部を構成する垂直板により、運搬用容器の内容積が減るようなことを防止することができる。
【００１４】
中仕切り部材が配設されていない運搬用容器に貼着された収容物品管理部材が、側壁の内面に貼着されているとともに、中仕切り部材により形成される複数の小分け収容空間に収容される物品を管理するための複数の収容物品管理部材を、係止部を構成する水平板が省略された中仕切り部材の垂直板に貼着したので、運搬用容器のフランジの上面に、中仕切り部材を構成する係止部の水平板が嵌合可能な凹部を形成する必要がないので、運搬用容器を、安定した状態で段積みすることができるとともに、運搬用容器を成形するための金型の製作費用を軽減することができる。また、中仕切り部材を構成する係止部の水平板を省略することにより、中仕切り部材の製造コストを低減することができる。
【図面の簡単な説明】
【００１５】
【図１】図１は、本発明の運搬用容器の斜視図である。
【図２】図２は、本発明の運搬用容器に配設される中仕切り部材の斜視図である。
【図３】図３は、中仕切り部材が配設された状態の本発明の運搬用容器の斜視図である。
【図４】図４は、本発明の運搬用容器の別の実施例の斜視図である。
【図５】図５は、同じく、本発明の運搬用容器の別の実施例の斜視図である。
【図６】図６は、図４及び図５に示されている本発明の別の実施例の運搬用容器に配設される中仕切り部材の斜視図である。
【図７】図７は、図４及び図５に示されている本発明の別の実施例の運搬用容器に、図６に示されている中仕切り部材が配設された状態の本発明の別の実施例の運搬用容器の斜視図である。
【図８】図８は、同じく、図４及び図５に示されている本発明の別の実施例の運搬用容器に、図６に示されている中仕切り部材が配設された状態の本発明の別の実施例の運搬用容器の斜視図である。
【図９】図９は、更に別の中仕切り部材が配設された状態の本発明の更に別の運搬用容器の斜視図である。
【実施例】
【００１６】
先ず最初に、図１〜図３を用いて、本発明の実施例について説明する。
【００１７】
図１において、Ｃは、底部１と、底部１の周縁から立設された側壁２とから構成されている運搬用容器であり、本実施例においては、射出成形等により、一体成形されている。また、本実施例においては、側壁２は、相対する長側壁２ａと相対する短側壁２ｂとから構成されている。３は、側壁２を囲むように、側壁２の上端から外側に延在する水平状のフランジである。なお、長側壁２ａ側に位置するフランジを、長側壁側フランジと称し、符号３ａを付し、また、短側壁２ｂ側に位置するフランジを、短側壁側フランジと称し、符号３ｂを付す。
【００１８】
相対する長側壁側フランジ３ａのうち、一方の長側壁側フランジ３ａの上面と長側壁２ａの内面とにより形成される角部には、側壁側スリット４が形成されており、また、底部１には、短側壁２ｂに沿って、所定数の底部側スリット５が形成されている。側壁側スリット４と底部側スリット５とは、平面的に見て、共に、短側壁２ｂに沿った直線上に位置している。
【００１９】
図２において、Ｐは、中仕切り部材であり、中仕切り部材Ｐは、運搬用容器Ｃ内を仕切る仕切り板ｐ１を有しており、仕切り板ｐ１は、相対する短側壁２ｂの内面間の幅と略同じ幅を有しているとともに、運搬用容器Ｃに配設された際には、フランジ３の上面を越えないように設計されている。
【００２０】
ｐ２は、係止部であり、係止部ｐ２は、帯状水平板ｐ２ａと、帯状水平板ｐ２ａの長手方向の一方の縁部から下方に略垂直に延在する垂直板ｐ２ｂとから構成されており、帯状水平板ｐ２ａの長手方向は、仕切り板ｐ１に対して、略垂直に配置されているとともに、垂直板ｐ２ｂも、仕切り板ｐ１に対して、略垂直に配置されている。垂直板ｐ２ｂに、仕切り板ｐ１の一方の垂直端面が連接されている。帯状水平板ｐ２ａの幅（帯状水平板ｐ２ａの先端面と垂直板ｐ２ｂとの距離）Ｗ１は、長側壁側フランジ３ａの幅（長側壁側フランジ３ａの長手方向に対して垂直方向の長さ）Ｗ２以下に形成されている。なお、仕切り板ｐ１を、係止部ｐ２を二等分するように、帯状水平板ｐ２ａや垂直板ｐ２ｂの中程に連接することが好ましい。
【００２１】
また、垂直板ｐ２ｂに連接されていない、もう一方の仕切り板ｐ１の垂直端面の上端部には、上述した長側壁側フランジ３ａの上面と長側壁２ａの内面とにより形成される角部に形成された側壁側スリット４に挿入される上端角部挿入片ｐ３が、仕切り板ｐ１の上端部を延長することにより形成されている。更に、仕切り板ｐ１の水平下端面には、底部１に形成された底部側スリット５に挿入される下端部挿入片ｐ４が垂設されている。
【００２２】
上述した構成を有する中仕切り部材Ｐを、運搬用容器Ｃに配設するには、運搬用容器Ｃの上方に、仕切り板ｐ１が、短側壁２ｂに略平行になるように配置された中仕切り部材Ｐを下降させて、中仕切り部材Ｐを構成する仕切り板ｐ１と係止部ｐ２の垂直板ｐ２ｂを、運搬用容器Ｃ内に挿入するとともに、中仕切り部材Ｐを構成する仕切り板ｐ１に形成された上端角部挿入片ｐ３を、運搬用容器Ｃの長側壁側フランジ３ａの上面と長側壁２ａの内面とにより形成される角部に形成された側壁側スリット４に挿入し、且つ、中仕切り部材Ｐの係止部ｐ２を構成する帯状水平板ｐ２ａを、運搬用容器Ｃの長側壁側フランジ３ａの上面に載置、或いは、長側壁側フランジ３ａの上面に接近して配置し、更に、中仕切り部材Ｐを構成する仕切り板ｐ１の下端部挿入片ｐ４を、運搬用容器Ｃの底部１に形成された底部側スリット５に挿入することにより、中仕切り部材Ｐが、運搬用容器Ｃに配設されることになる。
【００２３】
上述したように、運搬用容器Ｃに、中仕切り部材Ｐを配設することにより、運搬用容器Ｃ内には、２つの小分け収容空間Ａ１、Ａ２が形成されることになる。  
【００２４】
そして、一方の小分け収容空間Ａ１側に位置する中仕切り部材Ｐを構成する係止部ｐ２の帯状水平板ｐ２ａの上面には、一方の小分け収容空間Ａ１に収容される物品の種類や物品の数量等を管理するために、バーコードやＩＣタグ等のテープ状の収容物品管理部材Ｔ１が貼着され、また、もう一方の小分け収容空間Ａ２側に位置する中仕切り部材Ｐを構成する係止部ｐ２の帯状水平板ｐ２ａの上面にも、もう一方の小分け収容空間Ａ２に収容される異なる物品の種類や物品の数量等を管理するために、バーコードやＩＣタグ等のテープ状の収容物品管理部材Ｔ２が貼着されることになる。当然のことながら、必要に応じて、一方の小分け収容空間Ａ１側に位置する中仕切り部材Ｐを構成する垂直板ｐ２ｂに、一方の小分け収容空間Ａ１に収容される物品の種類や物品の数量等を管理するための収容物品管理部材Ｔ１を貼着することもでき、同様に、もう一方の小分け収容空間Ａ２側に位置する中仕切り部材Ｐを構成する垂直板ｐ２ｂに、もう一方の小分け収容空間Ａ２に収容される物品の種類や物品の数量等を管理するための収容物品管理部材Ｔ２を貼着することもできる。
【００２５】
中仕切り部材Ｐが配設されていない運搬用容器Ｃの場合には、図１に示されているように、バーコードやＩＣタグ等のテープ状の収容物品管理部材Ｔ３は、通常、運搬用容器Ｃの長側壁側フランジ３ａの略中央部に貼着されているが、このように、運搬用容器Ｃの長側壁側フランジ３ａの略中央部に貼着されている収容物品管理部材Ｔ３は、運搬用容器Ｃに配設される中仕切り部材Ｐを構成する係止部ｐ２の帯状水平板ｐ２ａにより覆われるように構成されている。また、収容物品管理部材Ｔ３が、運搬用容器Ｃの長側壁２ａの内面に貼着されている場合には、収容物品管理部材Ｔ３は、運搬用容器Ｃに配設される中仕切り部材Ｐを構成する係止部ｐ２の垂直板ｐ２ｂにより覆われるように構成されている。
【００２６】
上述したように、運搬用容器Ｃに、中仕切り部材Ｐを配設した際には、中仕切り部材Ｐが配設されていない運搬用容器Ｃの一方の長側壁側フランジ３ａの上面に貼着された収容物品管理部材Ｔ３が、中仕切り部材Ｐを構成する係止部ｐ２の帯状水平板ｐ２ａにより覆われるように構成されているので、中仕切り部材Ｐを配設し、小分けされた運搬用容器Ｃの小分け収容空間Ａ１、Ａ２に収容された、それぞれの物品の種類や物品の数量等を管理するために、収容物品管理部材Ｔ１、Ｔ２と、中仕切り部材Ｐが配設されていない運搬用容器Ｃの一方の長側壁側フランジ３ａの上面に貼着された収容物品管理部材Ｔ３とを読み違えるようなことを防止することができる。
【００２７】
また、中仕切り部材Ｐが配設されていない運搬用容器Ｃの長側壁側フランジ３ａの上面に貼着された収容物品管理部材Ｔ３は、中仕切り部材Ｐにより覆われているので、収容物品管理部材Ｔ３を取り外す必要がないので、中仕切り部材Ｐを取り外して、再度、中仕切り部材Ｐが配設されていない運搬用容器Ｃとして使用する場合にも、そのまま、収容物品管理部材Ｔ３が貼着された運搬用容器Ｃとして使用することができるので、収容物品管理部材Ｔ３の取り外し作業や再度の収容物品管理部材Ｔ３の貼着作業を行う必要がないので、収容物品管理部材Ｔ３の取り外し作業や貼着作業に要する時間や労力を省略することができる。
【００２８】
なお、上述した実施例には、短側壁２ｂに沿って配設された１つの中仕切り部材Ｐにより、運搬用容器Ｃを、一方の小分け収容空間Ａ１ともう一方の小分け収容空間Ａ２との２つに小分けした例が示されているが、短側壁２ｂに沿って、２個以上の中仕切り部材Ｐを配設し、３個以上の小分け収容空間に小分けすることもできる。また、長側壁２ａに沿って、１つ以上の中仕切り部材Ｐを配設し、運搬用容器Ｃ内に、小分け収容空間を形成することもでき、更には、短側壁２ｂに沿って配設された中仕切り部材Ｐと長側壁２ａに沿って配設された中仕切り部材Ｐとにより、小分け収容空間を形成することもできる。
【００２９】
図４〜図８に示されている実施例は、運搬用容器Ｃの長側壁側フランジ３ａの上面に、中仕切り部材Ｐを構成する係止部ｐ２の帯状水平板ｐ２ａが嵌合可能な上部凹部６を形成するとともに、運搬用容器Ｃの長側壁２ａの内面に、中仕切り部材Ｐを構成する垂直板ｐ２ｂが嵌合可能な側部凹部７を形成したものである。そして、上述したように、運搬用容器Ｃに、中仕切り部材Ｐを配設した際には、中仕切り部材Ｐを構成する係止部ｐ２の帯状水平板ｐ２ａの上面と運搬用容器Ｃの長側壁側フランジ３ａの上面とが略面一になるように構成されているとともに、中仕切り部材Ｐを構成する垂直板ｐ２ｂの運搬用容器Ｃ側の内面と長側壁２ａの内面とが略面一になるように構成されている。
【００３０】
従って、運搬用容器Ｃを段積みした際に、運搬用容器Ｃに配設された中仕切り部材Ｐを構成する係止部ｐ２の帯状水平板ｐ２ａが、上述した実施例のように、一方の長側壁側フランジ３ａの上面から突出し、段積みされた運搬用容器Ｃが傾斜するようなことがなく、従って、安定した状態に、運搬用容器Ｃを段積みすることができる。また、中仕切り部材Ｐを構成する垂直板ｐ２ｂの運搬用容器Ｃ側の内面と長側壁２ａの内面とが略面一になるように構成されているので、上述した実施例のように、運搬用容器Ｃに配設された中仕切り部材Ｐを構成する垂直板ｐ２ｂが、長側壁２ａの内面から突出し、運搬用容器Ｃから、運搬用容器Ｃに収容された物品を取り出す際に、物品が、垂直板ｐ２ｂに引っ掛かり、物品の運搬用容器Ｃからの取り出し作業の障害になったり、或いは、物品が、垂直板ｐ２ｂに引っ掛かり、物品が損傷するようなことを防止することができる。
【００３１】
ｐ５は、中仕切り部材Ｐを構成する係止部ｐ２の帯状水平板ｐ２ａと垂直板ｐ２ｂとにより形成される隅部の両端に形成された、一対の隅部挿入片である。また、運搬用容器Ｃの上部凹部６を形成する上面と側部凹部７を形成する運搬用容器Ｃ側の内面とにより形成される上端角部には、隅部挿入片ｐ５が挿入される、隅部挿入片用スリット８が形成されている。そして、中仕切り部材Ｐを、運搬用容器Ｃに配設した際に、中仕切り部材Ｐに形成された隅部挿入片ｐ５が、運搬用容器Ｃに形成された隅部挿入片用スリット８に挿入されるように構成されている。このように構成することにより、中仕切り部材Ｐを、安定した状態で、運搬用容器Ｃに配設することができる。
【００３２】
図９に示されている実施例は、図１〜図３に示されている実施例の中仕切り部材Ｐにおいて、係止部ｐ２を構成する帯状水平板ｐ２ａを省略し、中仕切り部材Ｐを、仕切り板ｐ１と垂直板ｐ２ｂとにより構成したものである。また、側壁側スリット４を、相対する長側壁側フランジ３ａのうちの、もう一方の長側壁側フランジ３ａの上面と長側壁２ａの内面とにより形成される角部にも、形成したものであり、これに対応して、中仕切り部材Ｐの垂直板ｐ２ｂの外面（仕切り板ｐ１が連接されている内面と反対側の面）の中央部上端にも、もう一方の長側壁側フランジ３ａの上面と長側壁２ａの内面とにより形成される角部に形成された側壁側スリット４に挿入される上端角部挿入片ｐ３が形成されている。この実施例においては、運搬用容器Ｃの一方の小分け収容空間Ａ１に収容される物品の種類や物品の数量等を管理するための収容物品管理部材Ｔ１は、運搬用容器Ｃの一方の小分け収容空間Ａ１側に位置する垂直板ｐ２ｂに貼着され、また、運搬用容器Ｃのもう一方の小分け収容空間Ａ２に収容される物品の種類や物品の数量等を管理するための収容物品管理部材Ｔ２は、運搬用容器Ｃのもう一方の小分け収容空間Ａ２側に位置する垂直板ｐ２ｂに貼着されることになる。
【００３３】
上述したように構成することにより、図４〜図８に示されている実施例のように、運搬用容器Ｃの長側壁側フランジ３ａの上面に、中仕切り部材Ｐを構成する係止部ｐ２の帯状水平板ｐ２ａが嵌合可能な上部凹部６を形成したので、運搬用容器Ｃを、安定した状態で段積みすることができるとともに、運搬用容器Ｃを成形するための金型の製作費用を軽減することができる。なお、この実施例においては、中仕切り部材Ｐが配設されていない運搬用容器Ｃに貼着される収容物品管理部材Ｔ３が、運搬用容器Ｃに配設される中仕切り部材Ｐの垂直板ｐ２ｂにより覆われるように、収容物品管理部材Ｔ３は、長側壁２ａの内面の適当な位置に貼着されることになる。
【００３４】
なお、収容物品管理部材Ｔ１〜Ｔ３として、ＩＣタグを使用した場合には、それぞれのＩＣタグを、誤って読み取る恐れがあるので、異なる周波数でのＩＣタグの管理が必要になる。また、中仕切り部材Ｐが配設された際に、中仕切り部材Ｐが配設されていない運搬用容器Ｃに貼着される収容物品管理部材Ｔ３を、リーダーが読み取らないように、収容物品管理部材Ｔ３が位置する中仕切り部材Ｐの領域に、電波遮蔽板や電波吸収体を配設することが好ましい。このように構成することにより、収容物品管理部材Ｔ１、Ｔ２と、中仕切り部材Ｐが配設されていない運搬用容器Ｃの一方の長側壁側フランジ３ａの上面に貼着された収容物品管理部材Ｔ３とを読み違えるようなことを防止することができる。
【００３５】
また、上述した実施例には、一体成形された、折り畳み不可能な運搬用容器Ｃが示されているが、上述した本発明の構成を、折り畳みコンテナーに適用することもできる。
【符号の説明】
【００３６】
Ｃ・・・・・・・・・・・運搬用容器
Ｐ・・・・・・・・・・・中仕切り部材
ｐ１・・・・・・・・・・仕切り板
ｐ２・・・・・・・・・・係止部
Ｔ１〜Ｔ３  ・・・・・・収容物品管理部材
１・・・・・・・・・・・底部
２・・・・・・・・・・・側壁
３・・・・・・・・・・・フランジ
【図１】
2010173653.tif 000003
【図２】
2010173653.tif 000004
【図３】
2010173653.tif 000005
【図４】
2010173653.tif 000006
【図５】
2010173653.tif 000007
【図６】
2010173653.tif 000008
【図７】
2010173653.tif 000009
【図８】
2010173653.tif 000010
【図９】
2010173653.tif 000011